【事件の表示】
　特許第３２２５１０４号「弾球遊技機の可変入賞球装置」の請求項１乃至６に係る特許に対する特許異議の申立てについて、次のとおり決定する。
【結　論】
　訂正を認める。
　特許第３２２５１０４号の請求項１乃至５に係る特許を維持する。
【理　由】
１．手続の経緯
　本件特許第３２２５１０４号の請求項１乃至６に係る発明についての出願は、平成４年７月３１日に特許出願され、平成１３年８月２４日にその発明について特許の設定登録がなされ、その後、その特許について、特許異議申立人　三原伸より特許異議の申立てがなされ、平成１４年１１月１５日付けで取消理由が通知され、その指定期間内である平成１５年１月２７日に特許異議意見書及び訂正請求書が提出されたものである。
     
２．訂正の適否について
（１）訂正の内容
　特許権者が求めている訂正の内容は、下記のとおりである。
　i．訂正事項ａ
　願書に添付した明細書（以下、「特許明細書」という。）の特許請求の範囲の請求項１に、
「前記玉受部材は、その裏面に該玉受部材で受け止めた打玉を前記入賞空間に向けて誘導する突片を形成し」という構成を付加し、更に「前記特定用誘導傾斜路と通常用誘導傾斜路との分岐部分に対応する前記突片を分岐部分以外の部分に対応する前記突片よりも低くした」という構成を付加するように訂正する。
　ii．訂正事項ｂ
　特許明細書の特許請求の範囲の【請求項３】を削除する。
　iii．訂正事項ｃ
　特許明細書の特許請求の範囲の【請求項４】を、【請求項３】に訂正するとともに、「請求項１乃至請求項３のいずれかに記載の弾球遊技機の可変入賞球装置。」を、「請求項１又は請求項２記載の弾球遊技機の可変入賞球装置。」と訂正する。
　iv．訂正事項ｄ
　特許明細書の特許請求の範囲の【請求項５】を、【請求項４】に訂正するとともに、「請求項４記載の弾球遊技機の可変入賞球装置。」を、「請求項３記載の弾球遊技機の可変入賞球装置。」と訂正する。
　v．訂正事項ｅ
　特許明細書の特許請求の範囲の【請求項６】を、【請求項５】に訂正するとともに、「請求項５記載の弾球遊技機の可変入賞球装置。」を、「請求項４記載の弾球遊技機の可変入賞球装置。」と訂正する。
　vi．訂正事項ｆ
　特許明細書の段落番号【０００４】中の「前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成したことを特徴とするものである。」を「前記玉受部材は、その裏面に該玉受部材で受け止めた打玉を前記入賞空間に向けて誘導する突片を形成し、前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成すると共に、前記特定用誘導傾斜路と通常用誘導傾斜路との分岐部分に対応する前記突片を分岐部分以外の部分に対応する前記突片よりも低くしたことを特徴とするものである。」と訂正する。
　vii．訂正事項ｇ
　特許明細書の段落番号【０００５】中の「該打玉は、入賞空間に受け入れられる。」を「該打玉は、玉受部材の裏面に形成された突片に誘導されて入賞空間に受け入れられる。」と訂正する。
　　　　
（２）訂正の目的の適否、新規事項の有無、及び特許請求の範囲の拡張・変更の存否
　訂正事項ａは、特許請求の範囲の請求項１において、訂正前の請求項１に従属する請求項３における「前記玉受部材の裏面には、該玉受部材で受け止めた打玉を前記入賞空間に向けて誘導する突片を形成した」という構成を付加するとともに、該突片を「前記特定用誘導傾斜路と通常用誘導傾斜路との分岐部分に対応する前記突片を分岐部分以外の部分に対応する前記突片よりも低くした」と具体的に限定したものであって、特許請求の範囲の減縮を目的とするものである。そして、特許明細書の段落【００１７】及び図１、２、４には上記訂正事項が記載されている。
　訂正事項ｂは、特許請求の範囲の請求項３を削除するものであって、特許請求の範囲の減縮を目的とするものである。
　訂正事項ｃ乃至ｅは、特許請求の範囲の請求項３を削除することに伴い、以降の特許請求の範囲の請求項４乃至６について、その請求項及び引用請求項の項番を順次繰り上げるよう訂正するものであって、明りょうでない記載の釈明を目的とするものである。
　また、訂正後の特許請求の範囲の請求項２乃至５は、特許請求の範囲の請求項１の減縮に伴って特許請求の範囲の減縮を目的とするものである。
　訂正事項ｆ及びｇは、上記特許請求の範囲の訂正に伴い発明の詳細な説明を訂正するものであって、明りょうでない記載の釈明を目的とするものである。
　そして、上記訂正事項ａ乃至ｇは、願書に添付した明細書または図面に記載した事項の範囲内の訂正であって新規事項の追加に該当せず、また実質上特許請求の範囲を拡張し、または変更するものではない。
　　　　　
（３）むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　　　　　
３．特許異議の申立てについて
（１）本件発明
　上記２．で示したように上記訂正が認められるから、本件請求項１乃至５に係る発明は、上記訂正に係る訂正明細書の特許請求の範囲の請求項１乃至５に記載された次のとおりのものである。
「【請求項１】遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　前記玉受部材は、その裏面に該玉受部材で受け止めた打玉を前記入賞空間に向けて誘導する突片を形成し、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成すると共に、前記特定用誘導傾斜路と通常用誘導傾斜路との分岐部分に対応する前記突片を分岐部分以外の部分に対応する前記突片よりも低くしたことを特徴とする弾球遊技機の可変入賞球装置。
　【請求項２】前記玉受部材は、長方形状の平板によって形成されていることを特徴とする請求項１記載の弾球遊技機の可変入賞球装置。
　【請求項３】前記特定入賞領域と通常入賞領域は、前記入賞空間の両端後部に対極するように配置されると共に、前記特定用誘導傾斜路は、前記特定入賞領域が形成される端部に向かって傾斜する第１誘導傾斜路と該第１誘導傾斜路に連続し且つ前記特定入賞領域に臨むように後方に向かって傾斜する第２誘導傾斜路とからなり、前記通常用誘導傾斜路は、前記通常入賞領域が形成される端部に向かって傾斜する第１誘導傾斜路と該第１誘導傾斜路に連続し且つ前記通常入賞領域に臨むように後方に向かって傾斜する第２誘導傾斜路とからなることを特徴とする請求項１又は請求項２記載の弾球遊技機の可変入賞球装置。
　【請求項４】前記入賞空間を、特定用と通常用の前記第１誘導傾斜路及び第２誘導傾斜路が形成される誘導室と、前記特定入賞領域と前記通常入賞領域とに入賞した後の入賞玉を処理する処理室とに区画して形成したことを特徴とする請求項３記載の弾球遊技機の可変入賞球装置。
　【請求項５】前記処理室には、前記特定入賞領域及び通常入賞領域に入賞した入賞玉をそれぞれ検出する検出器を設置したことを特徴とする請求項４記載の弾球遊技機の可変入賞球装置。」
　　　　
（２）特許異議申立て理由及び取消理由の概要
　特許異議申立人．三原伸は、下記の甲第１号証乃至甲第４号証を提示して、本件特許第３２２５１０４号の請求項１乃至６に係る発明は、甲第１号証乃至甲第３号証に記載された発明に基づいて当業者が容易に発明をすることができたものであるから、特許法第２９条第２項の規定により特許を受けることができないものであり、また、先願である甲第４号証に記載された発明と実質的に同一であるから、特許法第２９条の２の規定により特許を受けることができないものであり、本件請求項１乃至６に係る発明の特許は取り消されるべき旨主張する。
　また、当審が平成１４年１１月１５日付けで通知した取消理由は、本件特許第３２２５１０４号の設定登録時の請求項１乃至６に係る発明は、特許異議申立ての証拠として提示された、甲第１号証乃至甲第３号証に相当する下記の刊行物１乃至３に記載された発明に基づいて当業者が容易に発明をすることができたものであるから、特許法第２９条第２項の規定により特許を受けることができないというものである。
　甲第１号証；実願昭５９−５６７８９号（実開昭６０−１６８８７８号）
　　　　　　　のマイクロフィルム（刊行物２）
　甲第２号証；実願昭５９−３４０５４号（実開昭６０−１４７４８１号）
　　　　　　　のマイクロフィルム（刊行物１）
　甲第３号証；特開昭６１−１５９９７４号公報（刊行物３）
　甲第４号証；実願平４−４６６７５号（実開平６−４８６号）
　　　　　　　のＣＤ−ＲＯＭ
　　　　　　　　
（３）特許法第２９条第２項違反について
　（ア）甲第１号証乃至甲第３号証に記載の発明
　i．甲第１号証に記載の発明
　甲第１号証（刊行物２）〔実願昭５９−５６７８９号（実開昭６０−１６８８７８号）のマイクロフィルム〕には、
「変動入賞装置５は、第３図及び第４図から良く判るように、入賞口として機能する比較的大きな横長の開口３１を設けた取付基板３０と、該開口に連続している横長の凹室３２と、該凹室の口を通常は閉じており特定賞態様が発生したとき開く開閉扉３３とを有」(明細書第８頁第１７行〜第９頁第２行)していること、
「変動入賞装置５の凹室３２内には、その中央と両端にそれぞれ１個づつ計３個の導入口３６、３７、３８が設けてある。この実施例では、中央の導入口３６は継続入賞口として、両側の導入口３７、３８は通常入賞口として機能する。特定賞態様が発生し開閉扉が一定時間開いている間に、中央の導入口３６へ入賞すれば、特定賞態様の継続が約束される構成となっている。」（同第９頁第１０行〜第１７行）こと、
「第５図及び第６図に於て、変動入賞装置５は、互いに並置された取付基板３０、中間基板６０、後基板８０に分れている。取付基板３０は、その裏面に包囲枠４０が突設されており、該包囲枠は、上記横長の開口３１及びその両側の開口３９を取り囲んでいる。この包囲枠４０の後端面は中間基板６０で覆われており、該中間基板の裏面には間隔を置いて後基板８０が取付けられている。本明細書に於ては、この包囲枠４０と中間基板６０とによって囲まれる空間を「第２空間部」、そして中間基板６０と後基板８０との間に形成される空間を「第３空間部」と称することにする。」（同第９頁第２０行〜第１０頁第１１行）こと、
「包囲枠４０の低面は、凹室３２の中央から両側にかけて双峰状ガイド部４１を、開口３１の両側付近にくぼみ４５、４６を有する。双峰状ガイド部４１の中央のくぼみ４２には、後方に向かって下る傾斜が付けてあり、継続入賞口３６へ球を案内するガイド面として機能する。双峰状ガイド部４１の両側の傾斜部４３、４４は、くぼみ４５、４６に段差を持って落込んでいる。」（同第１０頁第１３行〜第２０行）こと、
「凹室３２内の上記３つの案内部（４２、４５、４６）のすぐ下方には、それぞれ後方に向いて開口している長方形断面の凹所４９が形成されており、各凹所には、「コ」字状の光センサ５０の基部５１（第９図）が嵌入され保持されている（第１０図参照）。」（同第１２頁第６行〜第１１行）こと、
「各光センサ５０は、その側壁部５２、５３で形成される喉を入賞球が通過する度に、入賞球検出信号を発生する。」（同第１７頁第２０行〜第１８頁第２行）こと、が図面とともに記載されている。
　　　
　ii．甲第２号証に記載の発明
　甲第２号証（刊行物１）〔実願昭５９−３４０５４号（実開昭６０−１４７４８１号）のマイクロフィルム〕には、
「(1) 基板に開設した玉入口に扉板を開閉可能に設け、基板の裏側に設けた電気的駆動源により該扉板を開閉し、該扉板が開状態のとき玉入口に流入した入賞球を振り分ける分岐部と、該分岐部により振り分けられる入賞球を個々に流入させる複数の流入口と、各流路の個々に連通する複数の流路とを備えた取付部材を基板の裏側に設け、前記各流路に個々に検出器を臨ませ、前記玉入口に流入した入賞球を該検出器で個々にカウントし、該カウント数の合計が一定数に達したとき前記電気的駆動源により開状態の扉板を閉じるようにしたことを特徴とするパチンコ機の変動入賞装置。
　(2) 取付部材の一つの流路に臨む検出器が、変動入賞装置の継続条件を判別する継続スイッチを兼ねたことを特徴とする実用新案登録請求の範囲第１項記載のパチンコ機の変動入賞装置。」（実用新案登録請求の範囲の第１項、第２項）、
「変動入賞装置１３は第２図以下に示すように、遊技盤６の表面に取付ける基板１６の略中央部に玉入口１７を開設し、玉入口１７は一度に複数個の打球を受入れることができるように横長に形成されている。そして、玉入口１７の下側縁部には扉板１８を軸１９，１９により開閉自在に軸着する。この扉板１８は常時外側（前方向）に開くように自重、重錘又はスプリングで付勢されており、裏面の一側縁に係合腕２０を突出させる。」（明細書第６頁第１３行〜第７頁第２行）こと、
「基板１６の裏面には、玉入口１７を囲むように包囲枠２１を設け、包囲枠２１の下面には、玉入口１７の略中央に位置して下方に窪む特定誘導口２２と、左右に位置して下方に窪む一対の一般誘導口２３，２３とを形成する。そして、特定誘導口２２の各側縁と一般誘導口２３，２３の各内側縁との間には山形状の分岐部２４，２４を形成する。包囲枠２１の開放後端部には取付基板２５と裏板２６とを間隔を持たせて、両板の間に特定誘導口２２に連通する特定流路２７と、各一般誘導口２３，２３に個々に連通する一対の一般流路２８，２８とを形成し、各流路２７，２８の終端を集合樋２９に臨ませる。各流路２７，２８は図面の実施例によれば、取付基板２５の各誘導口２２，２３に対応する位置に特定流入口３０と一対の一般流入口３１，３１を開設し、該流入口３０，３１に沿って取付基板２５裏面から延びる複数の縁部３２…を設け、対向する縁部３２の間に打球が流下する溝を形成し、該溝の開放端面を裏板２６により塞いで形成したものである。」（同第７頁第３行〜第８頁第３行）こと、
「そして、各流路２７，２８には、軸３３で流路内に揺動可能に支持された玉受部材３４を個々に臨ませ、玉受部材３４の揺動範囲内に検出スイッチ３５…を位置させる。」（同第８頁第４行〜第７行）こと、
「また、変動入賞装置の流入口の数は、実施例に示したように３個のものに限定されず、少なくとも２個以上の流入口を備えた変動入賞装置であれば足り、これに対応する流路も種々な態様が可能である。」（同第１３頁第１５行〜第１９行）こと、が図面とともに記載されている。
　しかして、甲第２号証における前記摘示の記載及び図面によれば、変動入賞装置の流入口を２個設けた場合、一方を特定流入口３０とし、他方を一般流入口３１とすることは、当業者の技術常識からみて、明らかである。
　よって、甲第２号証には以下の発明が記載されているものと認められる。
「遊技盤６の遊技部８を落下する打玉を受け止める扉板１８と、該扉板１８によって受け止められた打玉を受け入れ且つ特別の入賞価値を付与する特定流入口３０及びその後方域と、通常の入賞価値を付与する一般流入口３１及びその後方域とを含む入賞空間と、を備えたパチンコ機の変動入賞装置において、前記特定流入口３０及びその後方域と前記一般流入口３１及びその後方域とを前記入賞空間内に配置すると共に、前記特定流入口３０及びその後方域域に向かって打玉を誘導する山形状の分岐部２４の特定誘導口２２側傾斜面及び特定誘導口２２と、前記一般流入口３１及びその後方域に向かって打玉を誘導する山形状の分岐部２４の一般誘導口２３側傾斜面及び一般誘導口２３とを同時に並存するように形成したパチンコ機の変動入賞装置。」
　　　
　iii．甲第３号証に記載の発明
　甲第３号証（刊行物３）〔特開昭６１−１５９９７４号公報〕には、
「開閉板３は、第５図および第６図に示されるように、本体板９４と、本体板の左右両端縁から後方に延びる補強部材９５および９６との一体構成でできている。本体板９４の裏面側、すなわち、第５図または第６図に示されるように、開閉板３が開成された状態における上面側には、その下方部に三角形状の小突起９７が、平行に多数配置されている。これら小突起９７は、パチンコ球を所定の方向へ導く働きをするものである。」（第９頁左上欄第１７行〜右上欄第５行）ことが図面とともに記載されている。
　　　　
（イ）本件請求項１に係る発明について
　i．対比
　本件請求項１に係る発明と甲第２号証に記載の発明とを対比すると、甲第２号証に記載の発明における「遊技盤６」、「遊技部８」、「扉板１８」、「特定流入口３０及びその後方域」、「一般流入口３１及びその後方域」、「山形状の分岐部２４の特定誘導口２２側傾斜面及び特定誘導口２２」、「山形状の分岐部２４の一般誘導口２３側傾斜面及び一般誘導口２３」、「パチンコ機の変動入賞装置」は、本件請求項１に係る発明における「遊技盤」、「遊技領域」、「玉受部材」、「特定入賞領域」、「通常入賞領域」、「特定用誘導傾斜路」、「通常用誘導傾斜路」、「弾球遊技機の可変入賞球装置」に、それぞれ相当する。
　してみると、本件請求項１に係る発明と甲第２号証に記載の発明は、
「遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、前記特定入賞領域に向かって打玉を誘導する特定用誘導傾斜路と前記通常入賞領域に向かって打玉を誘導する通常用誘導傾斜路とを同時に並存するように形成した弾球遊技機の可変入賞球装置。」
の点で一致し、下記（ａ）乃至（ｂ）の点で相違している。
（ａ）本件請求項１に係る発明では、特定入賞領域と通常入賞領域とを入賞空間内の対極する位置に配置した構成であるのに対し、甲第２号証に記載の発明では、特定入賞領域と通常入賞領域とを入賞空間内に配置したものと認められるが、特定入賞領域と通常入賞領域とを入賞空間内の対極する位置に配置した構成であるか明らかでない点。
（ｂ）本件請求項１に係る発明では、玉受部材は、その裏面に該玉受部材で受け止めた打玉を入賞空間に向けて誘導する突片を形成するとともに、特定用誘導傾斜路と通常用誘導傾斜路との分岐部分に対応する前記突片を分岐部分以外の部分に対応する前記突片よりも低くした構成であるのに対し、甲第２号証に記載の発明では、特定用誘導傾斜路と通常用誘導傾斜路とに打玉を誘導する玉受部材を開示するにとどまり、玉受部材の裏面に打玉を入賞空間に向けて誘導する突片を形成する構成、及び、特定用誘導傾斜路と通常用誘導傾斜路との分岐部分に打玉を誘導するべく前記分岐部分に対応する突片を他の部分に対応する突片よりも低くした構成を示すものではない点。
　　
　ii．相違点の検討
　まず、上記相違点（ａ）について検討するに、入賞領域を入賞空間内に２個配置する場合、入賞領域をどのように配置するかは当業者が適宜なし得る設計上の事項であるとともに、該入賞領域を入賞空間内の対極する位置に配置することは当業者であれば普通に採用する配置構成であるから、相違点（ａ）における本件請求項１に係る発明の構成を採用することは当業者が容易に想到し得たものである。
　ついで、上記相違点（ｂ）について検討するに、甲第３号証には、玉受部材に相当する開閉板３の裏面側にパチンコ球を所定の方向へ導く働きをする三角形状の小突起９７を平行に多数配置する構成が開示されており、該構成は弾球遊技機の技術分野における周知慣用技術であることは明らかである。
　しかしながら、前記「小突起９７」に示される如き、玉受部材の裏面に形成される突片について、特定用誘導傾斜路と通常用誘導傾斜路との分岐部分にパチンコ球が誘導されるように、前記突片の高さを調整する構成については、甲第１号証乃至甲第３号証のいずれにも記載されておらず、また、該構成が周知慣用の手段であるとも、甲第１号証乃至甲第３号証に記載の発明に基づいて当業者が容易に想到することができたものとも認めることができない。
　そして、本件請求項１に係る発明は、上記相違点（ｂ）に係る構成により特定入賞領域又は通常入賞領域のいずれにパチンコ球が導かれるか直ちに確定しない誘導経路が玉受部材に設定されることで遊技者にいずれに導かれるかの期待感を与えるという作用効果を奏するものである。
　したがって、本件請求項１に係る発明は、甲第１号証乃至甲第３号証に記載の発明に基づいて当業者が容易に発明をすることができたものではない。
　　　
（ウ）請求項２乃至５に係る発明について
　　本件請求項２乃至５に係る発明は、本件請求項１に係る発明の構成を具備し、これを更に限定した発明である。
　したがって、前記（イ）に記載したのと同様の理由で、本件請求項２乃至５に係る発明は、甲第１号証乃至甲第３号証に記載の発明に基づいて当業者が容易に発明をすることができたものではない。
　　　　
（４）特許法第２９条の２違反について
　（ア）甲第４号証に記載の発明
　甲第４号証〔実願平４−４６６７５号（実開平６−４８６号）のＣＤ−ＲＯＭ〕には、
「一般遊技状態中に特別条件が満たされることによって、遊技者にとって一般遊技状態より有利な特別利益状態に変換され、この特別利益状態下で更に特定の継続条件が満たされると先の特別利益状態が次にも継続して与えられるパチンコ機の変動入賞装置に於いて、特別利益状態下で流入してきた入賞球を転動自在に載せる揺動自在な球受部材と、当該球受部材を選択的に少なくとも二方向へ傾斜させる揺動手段と、揺動手段により一方に傾斜させられた球受部材の傾斜下流端側にあって当該球受部材を転動流下してくる入賞球を継続入賞球として検出する継続入賞検出手段とからなることを特徴とするパチンコ機の変動入賞装置。」(明細書第２頁左欄第２行〜第１４行)、
「【実施例】以下、本考案を実施の一例を示す図面に基づいて説明する。
　図１は遊技盤の正面図である。この遊技盤には、一般遊技中に特別条件の成否が決定される可変表示装置１０と、可変表示装置１０によって行われる可変表示ゲームの結果として大当たり状態の発生（特別条件の成立）に応じて、開閉扉２１が開いて大入賞口２２が所定条件下で開放する変動入賞装置２０とが配設されている。」(同第５頁第２２行〜第２８行)こと、
「図２は変動入賞装置２０の斜示図である。この変動入賞装置２０は、当該装置２０を遊技盤に装着するための取付基板２３、取付基板２３の略中央に開設された大入賞口２２、取付基板２３の表面側に在って大入賞口２２を通常は閉ざしており特別条件が成立すると開口させる開閉扉２１、取付基板２３の裏面側に在って大入賞口２２から流入する入賞球を受け入れる凹室３０等を有する。」(同第６頁第１行〜第５行)こと、
「上記の開閉扉２１は、大入賞口２２の下辺側を軸として仰向けに倒れるように遊技盤前方に傾倒して開き、開いた状態では、開閉扉２１の裏面側が遊技盤面上を流下する遊技球を受けて、大入賞口２２へと誘導する機能を果たす。尚、図２に示す符号２４は取付基板２３を遊技盤に装着する際に止着ビスを通すための止着孔、符号２５、２５は一般入賞口である。」(同第６頁第７行〜第１１行)こと、
「上記の凹室３０は、取付基板２３に開設された大入賞口２２の上辺と左右辺側から立ち上がって、大入賞口２２を覆うかのように、取付基板２３の裏面との間に少なくとも遊技球一個分の間隔を置いて形成された包囲枠３１と、包囲枠３１の下方を塞ぎ、大入賞口２２から流入してくる入賞球を受け入れて転動自在に載せる球受部材３３とで形成されている。」(同第６頁第１３行〜第１７行)こと、
「更に、この球受部材３３は、長手方向の中央裏面に幅方向に形成された軸受３５に挿入される軸を介して取付基板２３の裏面側揺動自在に枢着される。即ち、実施例の帯状の球受部材３３は、取付基板２３の裏面側の大入賞口２２の下辺側に在って、包囲枠３０の底を塞ぐように、取付基板２３の裏面に沿って当該取付基板２３の左右方向に延在し、長手方向中央の軸受３５を中心として、シーソー運動するように揺動自在に取り付けられている。」(同第６頁第２４行〜第２９行)こと、
「図３に於いて、揺動自在に枢着された球受部材３３の両端側の凹室３０の左右の隅部には、球受部材３３の傾斜によって転動流下してくる入賞球を凹室３０の外に一個づつ放出しつつ、同時に、放出されて行く入賞球を一個づつ検出するための入賞球処理室３６、３６が形成されている。実施例の入賞球処理室３６、３６は、包囲枠３０の左右の下端側に夫々位置し、取付基板２３の裏面と相俟って、球受部材３３からの入賞球を側面側から受け入れて底面側から一個づつ放出する流路が形成された箱型の部屋となっている。」(同第７頁第２行〜第８行)こと、
「更に、実施例の各入賞球処理室３６、３６の底面（床）は、遊技球一個が通過できる検出穴４０が穿たれた薄い直方体型の検出器４１、４２が、遊技盤裏面方向から取付基板２３方向に差し抜き自在に挿入されており、この検出器自体４１、４２が入賞球処理室３６、３６の底を兼ねている。」(同第７頁第１０行〜第１３行)こと、
が図面とともに記載されている。
　また、図２には、玉受部材３３の中央部分に対応する開閉扉２１の中央部分を他の部分よりも低く形成した構成が示されている。
　　　　
　（イ）本件請求項１に係る発明について
　i．対比
　本件請求項１に係る発明と甲第４号証に記載の発明とを対比すると、甲第４号証に記載の発明における「開閉扉２１」、「継続入賞検出手段４１を含む入賞球処理室３６」、「入賞球計数検出手段４２を含む入賞球処理室３６」、「凹室３０」、「玉受部材３３」、「パチンコ機の変動入賞装置」は、本件請求項１に係る発明における「玉受部材」、「特定入賞領域」、「通常入賞領域」、「入賞空間」、「特定用及び通常用の誘導傾斜路」、「弾球遊技機の可変入賞球装置」に、それぞれ相当する。
　また、甲第４号証の図２によれば、パチンコ球を玉受部材３３の中央部分に誘導すべく、玉受部材３３の中央部分に対応する開閉扉２１の中央部分を他の部分よりも低く形成した構成が示されている。
　してみると、本件請求項１に係る発明と甲第４号証に記載の発明は、下記の点で相違し、その余の点で一致している。
　相違点．本件請求項１に係る発明では、特定用誘導傾斜路と通常用誘導傾斜路とを同時に並存するように形成するとともに、玉受部材は、その裏面に該玉受部材で受け止めた打玉を入賞空間に向けて誘導する突片を形成するとともに、特定用誘導傾斜路と通常用誘導傾斜路との分岐部分に対応する前記突片を分岐部分以外の部分に対応する前記突片よりも低くした構成であるのに対し、甲第４号証に記載の発明では、特定用誘導傾斜路又は通常用誘導傾斜路に切り換え可能に共通の誘導傾斜路を形成するとともに、パチンコ球を前記共通の誘導傾斜路の中央部分に誘導すべく、玉受部材の中央部分を他の部分よりも低く形成した構成である点。
　　
　ii．相違点の検討
　そこで、上記相違点について検討するに、まず、本件請求項１に係る発明は、特定用誘導傾斜路と通常用誘導傾斜路とが同時に並存するように形成したのに対して、甲第４号証に記載の発明は、特定用誘導傾斜路又は通常用誘導傾斜路に切り換え可能に共通の誘導傾斜路を形成したことにおいて、両者は、パチンコ球を誘導するための誘導傾斜路が固定的であるか否かという基本的構成及びそれに基づく誘導傾斜路としてのパチンコ球を誘導する作用効果を異にしている。
　また、本件請求項１に係る発明は、玉受部材に形成する突片の高さを調整して特定用誘導傾斜路と通常用誘導傾斜路との分岐部分にパチンコ球を誘導するように形成したのに対して、甲第４号証に記載の発明は、玉受部材の中央部分を他の部分よりも低く形成することでパチンコ球を誘導傾斜路の中央部分に誘導するようにしているところ、該誘導傾斜路の中央部分は特定用誘導傾斜路と通常用誘導傾斜路との分岐部分に相当するものではないことからして、遊技者にいずれの誘導傾斜路に導かれるかの期待感を与えるという作用効果を奏する構造のものではない。
　しかして、本件請求項１に係る発明と甲第４号証に記載の発明の奏する作用効果が別異のものであることが明らかであるから、上記相違点に係る両発明の構成の相違を単なる設計上の微差ということはできない。
　したがって、本件請求項１に係る発明は、甲第４号証に記載の発明と同一ではない。
　　　
（ウ）請求項２乃至５に係る発明について
　　本件請求項２乃至５に係る発明は、本件請求項１に係る発明の構成を具備し、これを更に限定した発明である。
　したがって、前記（イ）に記載したのと同様の理由で、本件請求項２乃至５に係る発明は、甲第４号証に記載の発明と同一ではない。
　　　　　　　　　　
（５）まとめ
　よって、本件請求項１乃至５に係る発明は、甲第１号証乃至甲第３号証に記載の発明に基づいて当業者が容易に発明をすることができたものではないから、その特許は、特許法第２９条第２項の規定に違反してされたものではなく、また、本件請求項１乃至５に係る発明は、先願である甲第４号証に記載された発明と実質的に同一でもないから、その特許は、特許法第２９条の２の規定に違反してされたものではない。
　　
４．むすび
　以上のとおりであるから、特許異議申立ての理由及び証拠によっては本件請求項１乃至５に係る発明の特許を取り消すことができない。
　また、他に本件請求項１乃至５に係る発明の特許を取り消すべき理由を発見しない。
　したがって、本件請求項１乃至５に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年４月４日（２００３．４．４）
【訂正の要旨】
　▲１▼　訂正事項ａ
　特許明細書における特許請求の範囲に係る記載
「【特許請求の範囲】
　【請求項１】　遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成したことを特徴とする弾球遊技機の可変入賞球装置。
　【請求項２】　前記玉受部材は、長方形状の平板によって形成されていることを特徴とする請求項１記載の弾球遊技機の可変入賞球装置。
　【請求項３】　前記玉受部材の裏面には、該玉受部材で受け止めた打玉を前記入賞空間に向けて誘導する突片を形成したことを特徴とする請求項１又は請求項２に記載の弾球遊技機の可変入賞球装置。
　【請求項４】　前記特定入賞領域と通常入賞領域は、前記入賞空間の両端後部に対極するように配置されると共に、前記特定用誘導傾斜路は、前記特定入賞領域が形成される端部に向かって傾斜する第１誘導傾斜路と該第１誘導傾斜路に連続し且つ前記特定入賞領域に臨むように後方に向かって傾斜する第２誘導傾斜路とからなり、前記通常用誘導傾斜路は、前記通常入賞領域が形成される端部に向かって傾斜する第１誘導傾斜路と該第１誘導傾斜路に連続し且つ前記通常入賞領域に臨むように後方に向かって傾斜する第２誘導傾斜路とからなることを特徴とする請求項１乃至請求項３のいずれかに記載の弾球遊技機の可変入賞球装置。
　【請求項５】　前記入賞空間を、特定用と通常用の前記第１誘導傾斜路及び第２誘導傾斜路が形成される誘導室と、前記特定入賞領域と前記通常入賞領域とに入賞した後の入賞玉を処理する処理室とに区画して形成したことを特徴とする請求項４記載の弾球遊技機の可変入賞球装置。
　【請求項６】　前記処理室には、前記特定入賞領域及び通常入賞領域に入賞した入賞玉をそれぞれ検出する検出器を設置したことを特徴とする請求項５記載の弾球遊技機の可変入賞球装置。」
を、特許請求の範囲の減縮を目的として、
「【特許請求の範囲】
　【請求項１】　遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　
前記玉受部材は、その裏面に該玉受部材で受け止めた打玉を前記入賞空間に向けて誘導する突片を形成し、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成
すると共に、前記特定用誘導傾斜路と通常用誘導傾斜路との分岐部分に対応する前記突片を分岐部分以外の部分に対応する前記突片よりも低く
　【請求項２】　前記玉受部材は、長方形状の平板によって形成されていることを特徴とする請求項１記載の弾球遊技機。
　【請求項３】　前記特定入賞領域と通常入賞領域は、前記入賞空間の両端後部に対極するように配置されると共に、前記特定用誘導傾斜路は、前記特定入賞領域が形成される端部に向かって傾斜する第１誘導傾斜路と該第１誘導傾斜路に連続し且つ前記特定入賞領域に臨むように後方に向かって傾斜する第２誘導傾斜路とからなり、前記通常用誘導傾斜路は、前記通常入賞領域が形成される端部に向かって傾斜する第１誘導傾斜路と該第１誘導傾斜路に連続し且つ前記通常入賞領域に臨むように後方に向かって傾斜する第２誘導傾斜路とからなることを特徴とする請求項
１又は請求項２記
　【請求項４】　前記入賞空間を、特定用と通常用の前記第１誘導傾斜路及び第２誘導傾斜路が形成される誘導室と、前記特定入賞領域と前記通常入賞領域とに入賞した後の入賞玉を処理する処理室とに区画して形成したことを特徴とする請求項
３
　【請求項５】　前記処理室には、前記特定入賞領域及び通常入賞領域に入賞した入賞玉をそれぞれ検出する検出器を設置したことを特徴とする請求項
４
と訂正する。
　▲２▼　訂正事項ｂ
　特許明細書における段落【０００４】に係る記載
「　　【０００４】
　【課題を解決するための手段】
　上記した目的を達成するために、本発明においては、
　遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成したことを特徴とするものである。」
を、明瞭でない記載の釈明を目的として、
「　　【０００４】
　【課題を解決するための手段】
　上記した目的を達成するために、本発明においては、
　遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　
前記玉受部材は、その裏面に該玉受部材で受け止めた打玉を前記入賞空間に向けて誘導する突片を形成し、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成
すると共に、前記特定用誘導傾斜路と通常用誘導傾斜路との分岐部分に対応する前記突片を分岐部分以外の部分に対応する前記突片よりも低く
と訂正する。
　▲３▼　訂正事項ｃ
　特許明細書における段落【０００５】に係る記載
「　　【０００５】
　【作用】
　遊技盤の遊技領域を落下する打玉が玉受部材に受け止められると、該打玉は、入賞空間に受け入れられる。入賞空間に受け入れられた打玉が特定入賞領域に向かって傾斜する誘導傾斜路に載置したときには、該打玉は、特定入賞領域に導かれ、一方、入賞空間に受け入れられた打玉が通常入賞領域に向かって傾斜する誘導傾斜路に載置したときには、該打玉は、通常入賞領域に導かれる。しかして、特定入賞領域と通常入賞領域とが入賞空間の対極する位置に配置されているので、誘導傾斜路上を転動する打玉の転動方向を見ることにより、打玉がいずれの入賞領域に誘導されるのかを極めて容易に見極めることができる。」
を、明瞭でない記載の釈明を目的として、
「　　【０００５】
　【作用】
　遊技盤の遊技領域を落下する打玉が玉受部材に受け止められると、該打玉は、
玉受部材の裏面に形成された突片に誘導されて
と訂正する。
（５４）【発明の名称】
弾球遊技機の可変入賞球装置
（５７）【特許請求の範囲】
　【請求項１】　遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　
前記玉受部材は、その裏面に該玉受部材で受け止めた打玉を前記入賞空間に向けて誘導する突片を形成し、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成
すると共に、前記特定用誘導傾斜路と通常用誘導傾斜路との分岐部分に対応する前記突片を分岐部分以外の部分に対応する前記突片よりも低く
　【請求項２】　前記玉受部材は、長方形状の平板によって形成されていることを特徴とする請求項１記載の弾球遊技機。
　【請求項３】　前記特定入賞領域と通常入賞領域は、前記入賞空間の両端後部に対極するように配置されると共に、前記特定用誘導傾斜路は、前記特定入賞領域が形成される端部に向かって傾斜する第１誘導傾斜路と該第１誘導傾斜路に連続し且つ前記特定入賞領域に臨むように後方に向かって傾斜する第２誘導傾斜路とからなり、前記通常用誘導傾斜路は、前記通常入賞領域が形成される端部に向かって傾斜する第１誘導傾斜路と該第１誘導傾斜路に連続し且つ前記通常入賞領域に臨むように後方に向かって傾斜する第２誘導傾斜路とからなることを特徴とする請求項
１又は請求項２記
　【請求項４】　前記入賞空間を、特定用と通常用の前記第１誘導傾斜路及び第２誘導傾斜路が形成される誘導室と、前記特定入賞領域と前記通常入賞領域とに入賞した後の入賞玉を処理する処理室とに区画して形成したことを特徴とする請求項
３
　【請求項５】　前記処理室には、前記特定入賞領域及び通常入賞領域に入賞した入賞玉をそれぞれ検出する検出器を設置したことを特徴とする請求項
４
【発明の詳細な説明】
　【０００１】
　【産業上の利用分野】
　本発明は、遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置に関するものである。
　【０００２】
　【従来の技術】
　従来、遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた可変入賞球装置として、例えば、１つの平板状の玉受部材を下部両端を支軸として開閉し、その開放中に玉受部材に受け止められた打玉を内部の入賞空間に受け入れて入賞とすると共に、その入賞空間内の複数に区画されたうちの１つの特定入賞領域に打玉が誘導されたときに所定の入賞価値（例えば、再度玉受部材を開放する権利）を付与されるものが多数提案されていた。このような可変入賞球装置においてその多くは、特定入賞領域を入賞空間の中央に配置し、該特定入賞領域の左右を通常の入賞価値を与える通常入賞領域としていた。
　【０００３】
　【発明が解決しようとする課題】
　しかして、特定入賞領域と通常入賞領域とが上記したような配置関係にあると、玉受部材に受け止められた打玉がいずれの入賞領域に誘導されたのか遊技者から分かりずらいという問題があった。本発明は、上記した問題点に鑑みなされたもので、その目的とするところは、玉受部材に受け止められた打玉が特定入賞領域と通常入賞領域のいずれに誘導されたかを容易に見極めることができる弾球遊技機の可変入賞球装置を提供することにある。
　【０００４】
　【課題を解決するための手段】
　上記した目的を達成するために、本発明においては、
　遊技盤の遊技領域を落下する打玉を受け止める玉受部材と、該玉受部材によって受け止められた打玉を受け入れ且つ特別の入賞価値を付与する特定入賞領域と通常の入賞価値を付与する通常入賞領域とを含む入賞空間と、を備えた弾球遊技機の可変入賞球装置において、
　
前記玉受部材は、その裏面に該玉受部材で受け止めた打玉を前記入賞空間に向けて誘導する突片を形成し、
　前記特定入賞領域と前記通常入賞領域とを前記入賞空間内の対極する位置に配置すると共に、前記特定入賞領域に向かって打玉を誘導する特定用誘導傾斜路と前記通常入賞領域に向かって打玉を誘導する通常用誘導傾斜路とを同時に並存するように形成
すると共に、前記特定用誘導傾斜路と通常用誘導傾斜路との分岐部分に対応する前記突片を分岐部分以外の部分に対応する前記突片よりも低く
　【０００５】
　【作用】
　遊技盤の遊技領域を落下する打玉が玉受部材に受け止められると、該打玉は、
玉受部材の裏面に形成された突片に誘導されて
　【０００６】
　【実施例】
　以下、図面を参照して、本発明の実施例について説明する。まず、図５及び第６図を参照して、実施例に係る弾球遊技機の一例としてのパチンコ遊技機の遊技盤１の構成について説明する。図５は、遊技盤１の正面図であり、図６は、遊技盤１の背面図である。図において、遊技盤１の表面には、発射された打玉を誘導するための誘導レール２がほぼ円状に植立され、該誘導レール２で区画された領域が遊技領域３を構成している。遊技領域３のほぼ中央上部には、２つの可変表示部材７、５ａ〜５ｃを有する可変表示装置４が配置されている。
　【０００７】
　可変表示装置４の２つの可変表示部材７、５ａ〜５ｃのうち、上部に設けられる普通図柄用可変表示器７は、１個の７セグメントＬＥＤで構成され、後述する通過口装置３０ａ，３０ｂに打玉が通過したことに基づいて可変表示し、その表示結果が予め定めた特定表示結果となったときに、後述する始動口装置１１を一定時間開放するものである。また、下部に設けられる可変表示部材５ａ〜５ｃは、複数（３つ）の識別情報（図柄）を表示することが可能な回転ドラム５ａ〜５ｃで構成され、後述する始動口装置１１に打玉が入賞したことに基づいて可変表示し、その表示結果が予め定めた大当り図柄の組合せとなったときに、特定遊技状態となって、本実施例の要部を構成する可変入賞球装置５０の玉受部材５３を所定の態様で開放駆動する。
　【０００８】
　また、可変表示装置４には、上記した構成以外に飾り図柄６、通過記憶表示ＬＥＤ８、始動記憶表示ＬＥＤ９、ドラムランプ１０が設けられている。通過記憶表示ＬＥＤ８及び始動記憶表示ＬＥＤ９は、それぞれ通過口装置３０ａ，３０ｂ及び始動口装置１１を通過又は入賞した打玉数であって普通図柄用可変表示器７及び回転ドラム５ａ〜５ｃを可変表示せしめる権利の留保数を表示するものである。また、飾り図柄６は、７セグメントＬＥＤで構成され、例えば、常時０〜５の数字が変動して、大当り図柄が表示されたときに、その変動を停止していずれかの数字を表示する。しかして、その数字が遊技場において予め定めた数値と一致した場合には、遊技場で用意された予め定めたサービス、例えば、その特定遊技状態で獲得した景品玉を使用して当該パチンコ遊技機での遊技の継続を認めるサービスを受けることができるものである。また、図示しないが、回転ドラム５ａ〜５ｃは、駆動モータ１１４（図９のブロック図に符号を表示）によって回転駆動されると共に、所望の図柄を表示した位置で駆動モータ１１４を停止させるためのリセット位置検出器１１２（図９のブロック図に符号を表示）が付設されている。
　【０００９】
　上記した可変表示装置４の下方には、始動口装置１１が配置されている。この始動口装置１１は、ソレノイド１２により開閉制御される一対の開閉翼片を有して構成される。また、始動口装置１１は、前記したように普通図柄用可変表示器７の表示結果が予め定めた特定表示結果となったときに一定時間（例えば、３秒）が経過するまで又は所定個数（例えば、３個）の入賞玉が発生するまで開放するもので、開放したときには、打玉が入賞し易くなっている。そして、入賞した打玉は、内蔵される始動入賞玉検出器１３によって検出されるようになっている。
　【００１０】
　上記始動口装置１１の下方には、本実施例の要部を構成する可変入賞球装置５０が配置されている。この可変入賞球装置５０には、そのほぼ中央に長方形状の入賞開口５２が形成され、該入賞開口５２の前面をソレノイド６１によって開閉制御される玉受部材５３が閉塞している。しかして、ソレノイド６１がＯＮされたときには、後に詳述するように、玉受部材５３が開放して遊技領域３を落下する打玉を受け止めて入賞開口５２内部の入賞空間５４に誘導するが、該入賞空間５４が２つに区画され、その一端部に特定入賞領域７０が形成されている。また、玉受部材５３の下方には、特定遊技状態となったときの玉受部材５３の開放回数と１回の開放中に受け入れられた入賞個数を兼用表示する数値表示器８３が設けられている。
　【００１１】
　上記した可変表示装置４と始動口装置１１と可変入賞球装置５０との関係について簡単に説明すると、発射された打玉が始動口装置１１（開放していない状態でもその上方から打玉が入賞し得るようになっている）に入賞すると、可変表示装置４の回転ドラム５ａ〜５ｃが可変表示を開始し、一定時間（例えば、６秒）が経過すると順次停止する。そして、回転ドラム５ａ〜５ｃの停止時の識別情報の組合せが所定の大当り図柄（例えば、７のゾロ目等）となったときに、特定遊技状態となり、可変入賞球装置５０の玉受部材５３を所定期間（例えば、３０秒経過するまで、あるいは１０個の入賞玉が発生するまで）開放するように設定され、その開放している間遊技領域３を落下する打玉を入賞開口５２内に受け入れるようになっている。そして、受け入れられた打玉が特定入賞領域７０に誘導されると、継続権が成立して再度上記した開放状態を繰り返し、開放状態中において打玉が特定入賞領域７０に誘導されることを条件として上記した開放状態を連続して最高１６回繰り返すことができるように設定されている。
　【００１２】
　遊技領域３には、上記した構成以外に、前記可変表示装置４の左右に通過玉検出器３４ａ，３４ｂを有する通過口装置３０ａ，３０ｂが配置されている。この通過口装置３０ａ，３０ｂは、前記したように普通図柄用可変表示器７の変動を許容するものである。ここで、通過口装置３０ａ，３０ｂの構成について図７及び図８を参照して説明する。図７は、一方（遊技領域３の左側に配置される）の通過口装置３０ａの正面図（Ａ）と他方の通過口装置３０ｂの主要部の部分正面図（Ｂ）であり、図８は、通過口装置３０ａの断面図である。なお、以下の説明では、一方の通過口３０ａ（番号に後にａを付したもの）について、主として説明するが、他方の通過口３０ｂにおいても全く同じ構造である。
　【００１３】
　図において、通過口装置３０ａは、前記遊技盤１の表面に取り付けられる取付基板３１ａを有し、該取付基板３１ａの上部に打玉を受け止める受口３２ａが突設され、該受口３２ａに受け入れられた打玉は、取付基板３１ａの後方に形成された玉通路３３ａを通って再度取付基板３１ａの前方に放出される。なお、玉通路３３ａの途中には、通過玉検出器３４ａが臨み、通過する打玉Ｐを検出するようになっている。更に、玉通路３３ａの出口には、放出された打玉を左右に振り分ける振分部材３５ａが突設されている。この振分部材３５ａは、その上面が山形に形成され、その頂点が玉通路３３ａの出口の中心からずれて形成されている。したがって、玉通路３３ａから放出された打玉Ｐは、いずれか一方に優先的に導かれるようになる。この優先的に導かれる面を優先誘導面３６ａとし、優先的に導かれない面を非優先誘導面３７ａとした場合、遊技領域３の左側に配置される通過口装置３０ａにおいては、図７（Ａ）に示すように、右側の面が優先誘導面３６ａとされ、遊技領域３の右側に配置される通過口装置３０ｂにおいては、図７（Ｂ）に示すように、左側の面が優先誘導面３６ｂとされる。このような構成とすることにより、通過口装置３０ａ，３０ｂを通過した打玉を遊技領域３の中心方向に放出させ、前記始動口装置１１や可変入賞球装置５０に入賞し易くしている。また、振分部材３５ａの前面には円形状の装飾板が一体的に形成され、該装飾板の前面にシール貼付面３８ａが形成されている。このシール貼付面３８ａには、貼付されるシールが正確に貼り付けられるようにシール位置決め突起３９ａが形成されている。また、通過口装置３０ａの裏面には、その上下に飾りＬＥＤ４２ａ，４３ａを有するＬＥＤ基板４０ａ，４１ａが止着され、通過口装置３０ａを装飾するようになっている。なお、上記した構成を有する通過口装置３０ａは、取付基板３１ａの中央左右に形成された取付穴４４ａにビスで螺着することにより遊技盤１の表面に止着される。なお、上記した実施例では、振分部材３５ａに優先誘導面３６ａと非優先誘導面３７ａとを設けたものを示したが、優先・非優先を設けることなく均等優先面を形成し、打玉の左右への振分に偶然性を設けたものでも良い。
　【００１４】
　更に、遊技領域３には、可変表示装置４の左右上部に風車ランプ１４ａ，１４ｂが設けられ、可変入賞球装置５０の左右上方に通常の入賞口１５ａ，１５ｂが設けられている。この入賞口１５ａ，１５ｂには、袖ランプ１６ａ，１６ｂが内蔵されている。これらの風車ランプ１４ａ，１４ｂ、袖ランプ１６ａ，１６ｂは、始動入賞時あるいは特定遊技状態時に点灯あるいは点滅してその旨を遊技者に報知する。同様の機能を有するものとして、遊技領域３の中央左右に設けられるサイドランプ１７ａ，１７ｂと、誘導レール２の外周に沿って設けられるレール飾りランプ１８と、パチンコ遊技機の前面上部に設けられる遊技効果ランプ１１５（図示しない；ただし、図９のブロック図に表示）がある。更に、遊技領域３には、落下する打玉の流下速度や方向を変化せしめる風車や多数の障害釘が設けられると共に、遊技領域３の最下方には、上記したいずれの入賞領域にも入賞しなかった打玉が遊技盤１の後方に導かれるアウト口１９が設けられている。
　【００１５】
　また、遊技盤１の裏面には、図６に示すように、その前面に遊技盤１の後面に導かれた入賞玉を所定の径路に沿って誘導する入賞径路が形成された入賞玉集合カバー体２０が止着されている。本実施例における入賞玉集合カバー体２０は、上下に二分され、上方の上部カバー体２１は、可変表示装置４から上方の裏面を覆い、下方の下部カバー体２２は、始動口装置１１より下方の裏面を覆うようになっている。しかして、下部カバー体２２に形成される入賞径路のうち、前記始動口装置１１に入賞した入賞玉、及び後述する入賞口８０ａ，８０ｂに入賞した入賞玉を導く入賞径路の末端には、誘導口２３ａ，２３ｂが開設され、下部カバー体２２の後面側に導かれるようになっている。そして、誘導口２３ａ，２３ｂから排出された入賞玉は、パチンコ遊技機の裏面に配置される機構板（図示しない）に形成された第２入賞玉集合樋に集合せしめられて、相対的に少ない景品玉数（例えば、７個）を払い出すようになっている。なお、その他の入賞口や入賞領域に入賞した入賞玉は、入賞玉集合カバー体２０の前面側をそのまま落下して機構板に形成された第１入賞玉集合樋に集合せしめられ、相対的に多い景品玉数（例えば、１５個）を払い出すようになっている。また、下部カバー体２２の左右前面には、後述する可変入賞球装置５０の位置決め穴９２ａ，９２ｂと係合する位置決め突起２４ａ，２４ｂが突設されると共に、可変入賞球装置５０の玉受部材５３を開閉するためのソレノイド６１を止着するソレノイド取付部２５が形成されている。なお、図示しないが遊技に添った効果音を発生するためのスピーカ１１３（図９のブロック図に符号を表示）がパチンコ遊技機に設けられている。
　【００１６】
　次に、本実施例の要部を構成する可変入賞球装置５０の詳細な構成について図１乃至図４を参照して説明する。図１は、可変入賞球装置５０の横断面図であり、図２は、可変入賞球装置５０の主要部の正面から見た斜視図であり、図３は、可変入賞球装置５０の正面図であり、図４は、玉受部材５３とソレノイド６１との関係を示す斜視図である。図において、可変入賞球装置５０は、前記遊技盤１の表面に取り付けられる取付基板５１を有し、その取付基板５１の中央に長方形状の入賞開口５２が穿設され、該入賞開口５２を閉塞するように玉受部材５３が設けられていると共に、入賞開口５２の後方に入賞空間５４が形成されている。
　【００１７】
　ここで、玉受部材５３の構造について説明すると、玉受部材５３は、長方形状の平板によって形成され、該両端下部に突設された支軸５５ａ，５５ｂを入賞開口５２の下部後方に形成された軸受穴（図示しない）に嵌合することにより上辺部開放するようになっている。また、玉受部材５３の前面には、その両サイドにサイドガイド５６ａ，５６ｂが突設され、その中央に振分突起５７が突設されている。サイドガイド５６ａ，５６ｂ及び振分突起５７は、主として玉受部材５３が閉じた状態のときその前面を落下する打玉の落下方向を下方に向けて誘導するものである。また、玉受部材５３の裏面には、玉受部材５３で受け止めた打玉をスムーズに入賞空間５４に導くレール突片５８、５９が突設されている。このレール突片５８、５９は、中央のレール突片５９が左右のレール突片５８よりも低くなるように形成され、特に玉受部材５３の中央で受け止めた打玉をそのまま後方に導くようにして、後述する特定用第１誘導傾斜路７２、あるいは通常用第１誘導傾斜路７４のいずれに導かれるかの期待感を遊技者に与えるようになっている。
　【００１８】
　また、玉受部材５３の両端後部には、図４に示すように、係合部６０が形成され、一方の係合部６０にソレノイド６１のプランジャ６２に作動部材６３を介して止着される係合片６４が係合するようになっている。ソレノイド６１は、可変入賞球装置５０本体とは離れて、前記したように下部カバー体２２のソレノイド取付部２５に止着されるようになっている。そして、ソレノイド６１のプランジャ６２の上下動を安定したものとするため、プランジャ６２に直接固着される作動部材６３の側方からガイド片６５を延設し、該ガイド片６５の先端を下部カバー体２２に止着されるガイド部材６６の溝に添って摺動させるようになっている。なお、本実施例におけるソレノイド６１においては、巻線コイルを一旦基板６７（プリント配線基板）に接続し、該基板６７にソレノイド配線６８をハンダ付けするようになっている。このような構造とすることにより、従来のように巻線コイルの先端部を直接ソレノイド配線としていた従来のソレノイドに比べ、ソレノイドの製造時における巻線コイルの長さを一定として製造し易く且つソレノイド配線を必要な長さのものを接続すれば良いので、製造コストを安価にすることができる。
　【００１９】
　上記した構造から明らかなように、玉受部材５３は、ソレノイド６１のＯＮ・ＯＦＦによって開閉されるものであるが、玉受部材５３とソレノイド６１とが分離して設けられるため、ソレノイド６１と玉受部材５３との相対的な位置が正確となるように、ソレノイド６１が取り付けられなければならない。このため、本実施例においては、玉受部材５３が設けられる可変入賞球装置５０本体側とソレノイド６１が止着される下部カバー体２２との相対的な位置を正確ならしめるために、下部カバー体２２に突設される前記位置決め突起２４ａ，２４ｂと可変入賞球装置５０の裏面側に形成される後述する位置決め穴９２ａ，９２ｂとを係合させるようにしている。
　【００２０】
　ところで、前記入賞空間５４には、図１に示すように、その一端部に特定入賞領域７０が形成され、該特定入賞領域７０と対極する位置である他端部に通常入賞領域７１が形成されている。そして、入賞空間５４の底面は、そのほぼ中央で一番高くなっており、中央から左右端に向けて下り傾斜する第１誘導傾斜路７２、７４となり、特定入賞領域７０と通常入賞領域７１の直前で後方に向かって下り傾斜する第２誘導傾斜路７３、７５となっている。しかして、通常入賞領域７１には、入賞玉検出器７８が直後に臨むようになっているが、特定入賞領域７０の下流側には、更に後方誘導傾斜路７６が形成され、その後方誘導傾斜路７６の末端に特定入賞玉検出器７７が設けられている。図示の場合、後方誘導傾斜路７６が入賞空間５４の後面壁７９の後方に形成されているため、入賞玉検出器７８と特定入賞玉検出器７７とが左右に並列した状態で配置されている。なお、特定入賞玉検出器７７は、前記した継続権の発生を検出するものであると共に、入賞玉検出器７８と協働して玉受部材５３の特定遊技状態時の１回の開放中に受け入れられる入賞玉数を計数するためのものである。
　【００２１】
　しかして、玉受部材５３に受け止められて入賞空間５４に受け入れられた打玉は、特定用第１誘導傾斜路７２及び特定用第２誘導傾斜路７３を転動して特定入賞領域７０に導かれるか、あるいは通常用第１傾斜誘導路７４及び通常用第２誘導傾斜路７５を転動して通常入賞領域７１に導かれるかのいずれかである。そして、この場合、打玉が正面から見て右側に転動すれば、その打玉は確実に特定入賞領域７０に導かれるし、正面から見て左側に打玉が転動すれば、その打玉は確実に通常入賞領域７１に導かれるので、遊技者から見て打玉がいずれの入賞領域７０、７１に導かれたかの見極めを極めて容易に行うことができる。
　【００２２】
　なお、図示の実施例では、後面壁７９によって入賞玉を誘導する誘導室と入賞玉を処理する処理室とに区画し、処理室側に特定入賞玉検出器７７と入賞玉検出器７８とを併設した構造としたので、従来のように３つに区画して中央を特定入賞領域とし左右を通常入賞領域とした可変入賞球装置において、それぞれの区画に検出器を設置したもの比較して、検出器を減らすことができ、また、特定入賞領域を打玉が通過した後に通常入賞領域からの打玉が誘導される通路に合流させるものと比較して、構造が簡単となる。また、本実施例では、打玉が特定用第１誘導傾斜路７２及び第２誘導傾斜路７３を転動して特定入賞玉検出器７７に到達するまで時間がかかるので、玉受部材５３の開放中に許容された入賞玉数の最後の入賞玉が特定入賞領域７０に向かって転動している場合には、更に、数個の余分の打玉が玉受部材５３に受け止められて入賞玉となる可能性がある。
　【００２３】
　可変入賞球装置５０の主要部の構成は、概ね上記した通りであるが、本実施例における可変入賞球装置５０は、さらに以下のような構成を有する。即ち、前記取付基板５１の左右には、通常の入賞口８０ａ，８０ｂが形成され、また、玉受部材５３の下方に障害部材８１が突設されている。入賞口８０ａ，８０ｂと障害部材８１との間には、前面装飾板８２が差し渡されている。また、障害部材８１の内部には、数値表示器８３が埋設され、特定遊技状態となったときの継続回数と玉受部材５３の１回の開放中に受け入れられた入賞玉数とを所定の態様で表示するようになっている。また、数値表示器８３の周囲には、飾りＬＥＤ８４が設けられている。また、前記入賞空間５４内の後面壁７９の裏面上部にもＬＥＤランプが設けられているが、このランプは、特定遊技状態中に継続権が発生した旨を表示するＶランプ８５と言われるものである。
　【００２４】
　更に、可変入賞球装置５０においては、前記入賞口８０ａ，８０ｂの近傍の取付基板５１に２種類の着色透明装飾板８６ａ，８６ｂ、８７ａ，８７ｂが装着され、該着色透明装飾板８６ａ，８６ｂ、８７ａ，８７ｂを照明するための飾りＬＥＤ８９ａ，８９ｂ、９０ａ，９０ｂが設けられるランプ基板８８ａ，８８ｂが後面左右に止着されている。そして、このランプ基板８８ａ，８８ｂを保護する保護カバー９１ａ，９１ｂがその後面側に止着され、該保護カバー９１ａ，９１ｂに前記下部カバー体２２に突設された位置決め突起２４ａ，２４ｂと係合する位置決め穴９２ａ，９２ｂが形成されている。
　【００２５】
　以上、可変入賞球装置５０及び可変表示装置４を含む遊技盤１の構成について説明してきたが、遊技盤１に設けられるそれらの遊技装置は、図９に示す遊技制御回路によって制御される。図９は、遊技制御回路をブロック構成で示す回路図であり、ＭＰＵ、ＲＯＭ、ＲＡＭ、入出力回路を含む基本制御回路１００によって制御される。しかして、基本制御回路１００は、検出回路１０１を介して特定入賞玉検出器７７、始動入賞玉検出器１３、通過玉検出器３４ａ，３４ｂ、入賞玉検出器７８、及びリセット位置検出器１１２からの検出信号が入力され、アドレスデコード回路１０２から基本制御回路１００にチップセレクト信号が与えられる。また、電源投入時に初期リセット回路１０３から基本制御回路１００にリセット信号が与えられ、所定時間毎にクロック用リセットパルス発生回路１０４から基本制御回路１００に定期リセット信号が与えられる。
　【００２６】
　一方、基本制御回路１００からは、以下の装置及び回路に制御信号が与えられる。即ち、スピーカ制御回路１０５を介してスピーカ１１３に音声信号が与えらる。また、モータ駆動回路１０６を介して駆動モータ１１４に駆動信号が与えれ、ＬＥＤ制御回路１０７を介して数値表示器８３、Ｖ表示ＬＥＤ８３、飾り図柄６、普通図柄用可変表示器７、通過記憶表示ＬＥＤ８、始動記憶表示ＬＥＤ９、及び飾りＬＥＤ８４、８９ａ，８９ｂ、９０ａ，９０ｂ等に表示制御信号が与えられる。また、ランプ制御回路１０８を介してランプ類１０、１４ａ，１４ｂ、１６ａ，１６ｂ、１７ａ，１７ｂ、１８、１１５が点灯駆動され、ソレノイド駆動回路１０９を介してソレノイド１２、６１が駆動される。また、大当り情報出力回路１１０を介して外部に大当り情報信号が導出される。なお、上記した装置や回路には、電源回路１１１から各種の電圧を有する電力が供給されている。
　【００２７】
　以上、実施例に係る可変入賞球装置５０について説明してきたが、本実施例に係る可変入賞球装置５０は、遊技盤１の遊技領域３を落下する打玉が玉受部材５３に受け止められると、該打玉は、入賞空間５４に受け入れられ、該入賞空間５４に受け入れられた打玉が特定入賞領域７０に向かって傾斜する第１及び第２誘導傾斜路７２、７３に載置したときには、該打玉は、特定入賞領域７０に導かれ、一方、入賞空間７４に受け入れられた打玉が通常入賞領域７１に向かって傾斜する第１及び第２誘導傾斜路７４、７５に載置したときには、該打玉は、通常入賞領域７１に導かれる。しかして、特定入賞領域７０と通常入賞領域７１とが入賞空間５４の対極する位置に配置されているので、誘導傾斜路７２〜７５上を転動する打玉の転動方向を見ることにより、打玉がいずれの入賞領域７０又は７１に誘導されるのかを極めて容易に見極めることができる。
　【００２８】
　なお、上記した実施例では、可変入賞球装置５０の玉受部材５３として、１枚の平板を開閉する形式のものを示したが、起立状態と水平状態とに変化する形式の一対の開閉部材でも良いし、あるいは左右にスライドする形式の玉受部材でも良い。また、特定入賞領域７０又は通常入賞領域７１に打玉を誘導する誘導傾斜路についても、第１、第２と異なる傾斜方向を有するものではなく、連続した傾斜面で特定入賞領域７０又は通常入賞領域７１まで打玉を誘導するものでも良い。また、上記した実施例では、中央で特定用第１及び第２誘導傾斜路と通常用第１及び第２誘導傾斜路とが分かれているものを示したが、特定入賞領域７０側又は通常入賞領域７１側寄りに区切り、いずれか一方側に打玉を優先して誘導するように構成しても良い。更に、特定入賞領域７０と通常入賞領域７１とを左右に対極させたものを示したが、前後、上下に対極させたものでも良い。
　【００２９】
　【発明の効果】
　以上、説明したところから明らかなように、本発明においては、特定入賞領域と通常入賞領域とが入賞空間の対極する位置に配置されているので、誘導傾斜路上を転動する打玉の転動方向を見ることにより、打玉がいずれの入賞領域に誘導されるのかを極めて容易に見極めることができる。
【図面の簡単な説明】
　【図１】
　実施例に係る可変入賞球装置の横断面図である。
　【図２】
　可変入賞球装置の主要部の正面から見た斜視図である。
　【図３】
　可変入賞球装置の正面図である。
　【図４】
　可変入賞球装置に設けられる玉受部材とソレノイドとの関係を示す斜視図である。
　【図５】
　可変入賞球装置が設けられる遊技盤の正面図である。
　【図６】
　遊技盤の背面図である。
　【図７】
　遊技盤に設けられる通過口装置の正面図である。
　【図８】
　通過口装置の断面図である。
　【図９】
　遊技動作を制御する制御回路のブロック図である。
　【符号の説明】
　１　遊技盤
　３　遊技領域
　５０　可変入賞球装置
　５３　玉受部材
　５４　入賞空間
　７０　特定入賞領域
　７１　通常入賞領域
　７２　特定用第１誘導傾斜路
　７３　特定用第２誘導傾斜路
　７４　通常用第１誘導傾斜路
　７５　通常用第２誘導傾斜路
　７６　後方誘導傾斜路
　７７　特定入賞玉検出器
　７８　入賞玉検出器